(57)【要約】      （修正有）【課題】オルゴール箱の蓋体を箱体に連結する作業が極めて容易になり、小学校の教材や卒業制作の記念品として使用するのに好適なオルゴール箱を提供する。【解決手段】オルゴールの箱体Ｐと箱体の開口部で揺動する蓋体Ｑとを構成する。蓋体の揺動端部に設けられた回転ピンＲを設ける。回転ピンの先端部分を箱体の支持孔Ｐ１に収納して蓋体を連結する。支持孔の開口部近傍に回転ピンの先端が当たる導入傾斜面Ｐ２を形成する。回転ピンの先端を導入傾斜面に摺動させて支持孔内に導入する。【選択図】図１
0003233446.tif 000002
【実用新案登録請求の範囲】
【請求項１】
オルゴールの箱体と、箱体の開口部で揺動する蓋体と、蓋体の揺動端部に設けられた回転ピンとを備え、回転ピンの先端部分を、箱体の支点部分に形成された支持孔に収納して蓋体を連結するオルゴール箱において、支持孔の開口部近傍から箱体の開口部方向に向けて回転ピンの先端が当たる導入傾斜面を形成し、回転ピンの先端を導入傾斜面の箱体Ｐ開口部側から支持孔側にスライドさせて支持孔内に導入するように構成したことを特徴とするオルゴール箱。
【請求項２】
前記回転ピンの先端にテーパー面を形成し、前記支持孔内部に収納された前記回転ピンのテーパー面近傍の前記支持孔内部から前記箱体の上方に向けて傾斜して前記回転ピンのテーパー面が当たる退出面部を形成し、前記回転ピンのテーパー面を退出面部の前記支持孔側から前記箱体の開口部方向にスライドさせて前記回転ピンを前記支持孔内から取り出すように構成した請求項１記載のオルゴール箱。
【請求項３】
前記回転ピンの先端にテーパー面を形成し、前記支持孔内部に収納された前記回転ピンのテーパー面近傍の前記支持孔内部から前記箱体の後側に向けて前記回転ピンのテーパー面が当たる後方傾斜面を形成し、前記回転ピンのテーパー面を後方傾斜面の前記支持孔側から前記箱体の後側にスライドさせて前記支持孔内から前記回転ピンを取り出すように構成した請求項１記載のオルゴール箱。
【請求項４】
前記回転ピンは、前記蓋体の挿入孔に収納する筒状ケースと、筒状ケースに収納するコイルバネと、コイルバネの先端側に装着されて筒状ケースから出没自在に形成されたピン体と、を備えた請求項１乃至３いずれか記載のオルゴール箱。
【請求項５】
前記回転ピンは、前記蓋体の挿入孔に収納する挿入体と、挿入体に設けられた押しばねと、押しばねの先端部に設けられたピン体と、が合成樹脂材にて一体成形された請求項１乃至３いずれか記載のオルゴール箱。
【考案の詳細な説明】
【技術分野】
【０００１】
本考案は、たとえば小学校の図画工作の教材や卒業制作の記念品として使用するのに好適なオルゴール箱に関するものである。
【背景技術】
【０００２】
小学校の図画工作や卒業制作の記念品として使用するオルゴールがある。このオルゴールに使用するオルゴール箱は、完成品の箱体に着色を施すタイプや半完成品の箱体を組立ててその後着色するタイプ、あるいは素材パーツを組み合わせて箱体を形成するキットタイプのオルゴール箱などがある。
【０００３】
一般的なオルゴール箱は、蓋体と箱体との連結金具として、主に蝶番を使用している（特許文献１）。ところが、教材用として使用するオルゴール箱では、連結金具に蝶番を使用せず、蓋体に装着した回転棒を使用することが多い（特許文献２）。
【０００４】
すなわち、蝶番を固定するには、箱体側と蓋体側とに夫々複数の木ねじで固定する必要があり、この複数個所のねじ止め作業が小学生の作業として不向きであった。そのため、教材用として使用するオルゴール箱では、蝶番の代わりに回転軸棒が使用されることが多い。
【０００５】
この回転軸棒は、蓋体に固定した支持部材で、回転軸棒の両端部を枢着ネジで箱体にねじ止めすることで、蓋体を開閉自在に連結することができる。すなわち、蓋体の連結作業は、箱体の両側を貫通した一対の枢着ネジで回転軸棒の両端部をねじ止めする作業となる。
【０００６】
一方、家具の扉などに使用される回転ピンがある。例えば、特許文献３に記載されている回動扉用枢軸ピンがある。この枢軸ピンは、筒状のケースにコイルバネと共にピン体を出没自在に収納し、ケースから突出したピン体を軸支する構成である。
【０００７】
このような回転ピンをオルゴール箱に使用する場合、蝶番や回転軸棒のようなねじ止め作業はなくなる。すなわち、蓋体の両端に設けた挿入孔に回転ピンのケースを嵌合し、箱体に形成した支持孔に回転ピンのピン体を挿入する作業で蓋体の連結作業は完了する。
【先行技術文献】
【特許文献】
【０００８】
【特許文献１】実開５−２１９８号公報
【特許文献２】実用新案登録第３１２８６５２号公報
【特許文献３】特開平１０−１８６７５号公報
【考案の概要】
【考案が解決しようとする課題】
【０００９】
ところが、蓋体に装着した回転軸棒を使用する場合、蝶番に比べてネジ止め箇所が少なくなっているとしても、枢着ネジをねじ止めする際に、ドライバー等の工具を用いたねじ止め作業は残っている。小学生にとって、工具を使用するねじ止め作業は困難になり易く、ドライバー等の工具を使用せずに蓋体を連結する手段が望まれていた。
【００１０】
一方、回転ピンをオルゴール箱に使用することで、ドライバー等の工具を使用せずに蓋体を連結することが可能になる。ところが、小学生にとって、回転ピンの先端を箱体に連結する工程の一部に困難な作業がある。
【００１１】
すなわち、回転ピンの先端から突出しているピン体を、箱体の支持孔に挿入するには、ピン体を筒状ケースの内部に強制的に押し込んだ状態でピン体を支持孔の位置までスライド移動し、支持孔の位置でピン体を開放すると、コイルバネの復元力にてピン体が支持孔内に収納される構成になる。
【００１２】
そのため、ピン体を筒状ケースの内部に押し込んだ状態で支持孔の位置までスライド移動する工程は、ピン体を筒状ケースの内部に押し込むための工具を用いる場合も想定されるなど、小学生にとって困難な作業になりやすい。このように、回転ピンを使用することでドライバーの使用はなくなるが、ピン体をスライド移動する際に、困難な作業になる可能性がある。
【００１３】
このように、小学校の図画工作の教材や卒業制作の記念品として使用するオルゴール箱には、蓋体を箱体に連結する作業をより簡単にする構成が望まれていた。
【００１４】
そこで、本考案は上述の課題を解消すべく案出されたもので、オルゴール箱の蓋体を箱体に連結する作業が極めて容易になり、小学校の教材や卒業制作の記念品として使用するのに好適なオルゴール箱の提供を目的とするものである。
【課題を解決するための手段】
【００１５】
上述の目的を達成すべく本考案における第１の手段は、オルゴールの箱体Ｐと、箱体Ｐの開口部で揺動する蓋体Ｑと、蓋体Ｑの揺動端部に設けられた回転ピンＲとを備え、回転ピンＲの先端部分を、箱体Ｐの支点部分に形成された支持孔Ｐ１に収納して蓋体Ｑを連結するオルゴール箱において、支持孔Ｐ１の開口部近傍から箱体Ｐの開口部方向に向けて回転ピンＲの先端が当たる導入傾斜面Ｐ２を形成し、回転ピンＲの先端を導入傾斜面Ｐ２の箱体Ｐ開口部側から支持孔Ｐ１側にスライドさせて支持孔Ｐ１内に導入するように構成したことにある。
【００１６】
第２の手段は、前記回転ピンＲの先端にテーパー面Ｒ４を形成し、前記支持孔Ｐ１内部に収納された前記回転ピンＲのテーパー面Ｒ４近傍の前記支持孔Ｐ１内部から前記箱体Ｐの上方に向けて傾斜して前記回転ピンＲのテーパー面Ｒ４が当たる退出面部Ｐ２ａを形成し、前記回転ピンＲのテーパー面Ｒ４を退出面部Ｐ２ａの前記支持孔Ｐ１側から前記箱体Ｐの開口部方向にスライドさせて前記回転ピンＲを前記支持孔Ｐ１内から取り出すように構成している。
【００１７】
第３の手段は、前記回転ピンＲの先端にテーパー面Ｒ４を形成し、前記支持孔Ｐ１内部に収納された前記回転ピンＲのテーパー面Ｒ４近傍の前記支持孔Ｐ１内部から前記箱体Ｐの後側に向けて回転ピンＲのテーパー面Ｒ４が当たる後方傾斜面Ｐ３を形成し、前記回転ピンＲのテーパー面Ｒ４を後方傾斜面Ｐ３の前記支持孔Ｐ１側から前記箱体Ｐの後側にスライドさせて前記支持孔Ｐ１内から前記回転ピンＲを取り出すように構成したものである。
【００１８】
第４の手段の前記回転ピンＲは、前記蓋体Ｑの前記挿入孔Ｑ１に収納する筒状ケースＲ１と、該筒状ケースＲ１に収納するコイルバネＲ２と、該コイルバネＲ２の先端側に装着されて筒状ケースＲ１から出没自在に形成されたピン体Ｒ３と、を備えたものとする。
【００１９】
第５の手段の前記回転ピンＲは、前記蓋体Ｑの前記挿入孔Ｑ１に収納する挿入体１０と、該挿入体１０に設けられた押しばね２０と、該押しばね２０の先端部に設けられたピン体３０と、が合成樹脂材にて一体成形されたものである。
【考案の効果】
【００２０】
本考案オルゴール箱は、回転ピンＲの先端部分をピン取付け用の傾斜面Ｐ２にスライドさせて回転ピンＲの先端部分を支持孔Ｐ１内に導入するように構成したことにより、箱体Ｐに蓋体Ｑを連結する作業が極めて容易になる。この結果、小学生の図画工作の教材や卒業制作の記念品として使用するのに好適なオルゴール箱を提供することができた。
【００２１】
しかも、支持孔Ｐ１内部から箱体Ｐの上方に向けて傾斜して回転ピンＲのテーパー面Ｒ４が当たる退出面部Ｐ２ａを形成しているので、この退出面部Ｐ２ａに沿って支持孔Ｐ１内部の回転ピンＲを取り出すことができるものである。
【００２２】
更に、箱体Ｐの支持孔Ｐ１の内部から箱体Ｐの後側に向けてピン取り出し用の後方傾斜面Ｐ３を形成し、回転ピンＲの先端部分をピン取り外し用の後方傾斜面Ｐ３にスライドさせて回転ピンＲの先端部分を支持孔Ｐ１内から取り外すように構成しているので、箱体Ｐに連結した蓋体Ｑを取り外す作業も容易に行うことができる。したがって、箱体Ｐに蓋体Ｑを連結した後でも蓋体Ｑを取り外して任意の修正が可能になり、図画工作の教材として最適な使用ができる。
【００２３】
また、回転ピンＲは、蓋体Ｑの挿入孔Ｑ１に収納する筒状ケースＲ１と、該筒状ケースＲ１に収納するコイルバネＲ２と、該コイルバネＲ２の先端側に装着されて筒状ケースＲ１から出没自在に形成されたピン体Ｒ３と、を備えた構成であるから、従来形状の回転ピンＲを使用することができる。しかも、この回転ピンＲの筒状ケースＲ１から突出したピン体Ｒ３の先端部にテーパー面Ｒ４を形成することで、蓋体Ｑの着脱作業を更に容易にすることができる。
【００２４】
更に、回転ピンＲとして、蓋体Ｑの挿入孔Ｑ１に収納する挿入体１０と、該挿入体１０に設けられた押しばね２０と、該押しばね２０の先端部に設けられたピン体３０と、が合成樹脂材にて一体成形された回転ピンＲを使用することで、安価な提供が可能になる。しかも、合成樹脂の回転ピンＲは耐水性を有するので、絵具などの塗料が付着しても錆びるおそれがない。そのため、例えば教材用のオルゴール箱に任意の塗装などを施す場合に最適である。
【００２５】
このように、本考案によると、蓋体の連結作業が極めて容易になり、教材や卒業制作の記念品として使用するのに好適なオルゴール箱を提供することができる。
【図面の簡単な説明】
【００２６】
【図１】本考案オルゴール箱の一実施例を示す分解斜視図である。
【図２】図１に示す矢視II−II線の導入傾斜面を示す断面図である。
【図３】図１に示す矢視III−III線の退出傾斜面を示す断面図である。
【図４】導入傾斜面の他の実施例を示す側断面図である。
【図５】導入傾斜面の他の実施例を示す側断面図である。
【図６】導入傾斜面の他の実施例を示す側断面図である。
【図７】本考案の回転ピンの他の実施例を示す側面図である。
【考案を実施するための形態】
【００２７】
以下、本考案の実施の形態を説明する。本考案オルゴール箱は、箱体Ｐと、箱体Ｐの開口部で揺動して施蓋する蓋体Ｑと、蓋体Ｑの揺動端部に設けられた回転ピンＲとを備えている（図１参照）。
【００２８】
そして、蓋体Ｑの揺動端部に設けられた挿入孔Ｑ１に回転ピンＲを嵌合し、回転ピンＲの先端部分を箱体Ｐの支点部分に形成された支持孔Ｐ１に収納して蓋体Ｑを連結する構成である。
【００２９】
箱体Ｐの支持孔Ｐ１の開口部近傍には導入傾斜面Ｐ２を形成している（図１参照）。この導入傾斜面Ｐ２は回転ピンＲの先端が当接してスライド移動する部位で、箱体Ｐ内部の支持孔Ｐ１側から箱体Ｐの開口部方向に向けて形成されている。
【００３０】
そして、回転ピンＲの先端を導入傾斜面Ｐ２の箱体Ｐ開口部側から摺動させて支持孔Ｐ１内に導入するように構成している（図２参照）。
【００３１】
このとき、回転ピンＲの先端には、テーパー面Ｒ４が形成されており、導入傾斜面Ｐ２のスライド移動を容易にしている（図２参照）。
【００３２】
図２に示す導入傾斜面Ｐ２は、箱体Ｐの開口端部から支持孔Ｐ１の開口部内側にかけて形成している。また、この導入傾斜面Ｐ２は、支持孔Ｐ１の近傍まで形成することで回転ピンＲの先端を支持孔Ｐ１に導入することが可能である（図４参照）。
【００３３】
更に、箱体Ｐの支持孔Ｐ１内部から箱体Ｐの上方側に向けて回転ピンＲのテーパー面Ｒ４が当たる退出面部Ｐ２ａを形成している（図５、図６参照）。この退出面部Ｐ２ａは、回転ピンＲのテーパー面Ｒ４が当接して取り出し方向にスライド移動する部位である。すなわち、退出面部Ｐ２ａは、箱体Ｐの支持孔Ｐ１内部に収納される回転ピンＲのテーパー面Ｒ４近傍の支持孔Ｐ１内部から箱体Ｐの上方側に向けて形成されている（図５、図６参照）。
【００３４】
そして、回転ピンＲのテーパー面Ｒ４を退出面部Ｐ２ａの支持孔Ｐ１側から箱体Ｐの上方にスライドさせて前記回転ピンＲを前記支持孔Ｐ１内から取り出すように構成している。このとき、退出面部Ｐ２ａを含む導入傾斜面Ｐ２の形状を曲面状に形成している（図５参照）。また、傾斜面が平面な山形状にすることも可能である（図６参照）。
【００３５】
一方、箱体Ｐの支持孔Ｐ１内部から箱体Ｐの後側に向けて回転ピンＲのテーパー面Ｒ４が当たる後方傾斜面Ｐ３を形成している（図１参照）。この後方傾斜面Ｐ３は、回転ピンＲのテーパー面Ｒ４が当接して後方にスライド移動する部位である。すなわち、後方傾斜面Ｐ３は、箱体Ｐの支持孔Ｐ１内部に収納された回転ピンＲのテーパー面Ｒ４近傍の支持孔Ｐ１内部から箱体Ｐの後側に向けて形成されている（図３参照）。
【００３６】
そして、回転ピンＲのテーパー面Ｒ４を後方傾斜面Ｐ３の支持孔Ｐ１側から箱体Ｐの後側にスライド移動して支持孔Ｐ１内から回転ピンＲを取り出すように構成している（図３参照）。
【００３７】
図１〜図６に示す回転ピンＲは、筒状ケースＲ１とコイルバネＲ２とピン体Ｒ３とで構成されている。この回転ピンＲは、筒状ケースＲ１内にコイルバネＲ２とピン体Ｒ３とを収納し、コイルバネＲ２の先端側に装着されたピン体Ｒ３を筒状ケースＲ１から出没自在に形成した構成である。そして、蓋体Ｑの挿入孔Ｑ１に筒状ケースＲ１を収納し、ピン体Ｒ３を箱体Ｐの支持孔Ｐ１に挿入して連結する。
【００３８】
図７に示す回転ピンＲは、全体が合成樹脂材にて一体成形された他の実施例の回転ピンＲである。この回転ピンＲは、挿入体１０と押しばね２０とピン体３０とで構成されている。そして、蓋体Ｑの挿入孔Ｑ１に挿入体１０と押しばね２０とを収納すると、押しばね２０の先端部に設けられたピン体３０が挿入孔Ｑ１から出没自在となる構成である。このピン体３０の先端にはテーパー面３０Ａか形成されている。そして、蓋体Ｑの挿入孔Ｑ１に筒状ケースＲ１を収納し、ピン体Ｒ３を箱体Ｐの支持孔Ｐ１に挿入して連結する。
【００３９】
このように、回転ピンＲは従来周知の回転ピンＲや合成樹脂製の回転ピンＲなど任意の回転ピンＲを選択して使用することができる。また。本考案の構造は図示例に限定されるものではなく、箱体Ｐや蓋体Ｑの構成は本考案の要旨を変更しない範囲で自由に設計変更が行える。
【符号の説明】
【００４０】
Ｐ  箱体
Ｐ１  支持孔
Ｐ２  導入傾斜面
Ｐ２ａ  退出面部
Ｐ３  後方傾斜面
Ｑ  蓋体
Ｑ１  挿入孔
Ｒ  回転ピン
Ｒ１  筒状ケース
Ｒ２  コイルバネ
Ｒ３  ピン体
Ｒ４  テーパー面
１０  挿入体
２０  押しばね
３０  ピン体
３０Ａ  テーパー面
【図１】
0003233446.tif 000003
【図２】
0003233446.tif 000004
【図３】
0003233446.tif 000005
【図４】
0003233446.tif 000006
【図５】
0003233446.tif 000007
【図６】
0003233446.tif 000008
【図７】
0003233446.tif 000009